(57)【要約】【課題】  電池ケースのカバーの閉め忘れを防止する。【解決手段】  平板状の第１本体部２と、平板状の第２本体部３と、第１本体部２の一側面部と第２本体部３の他側面部とを回動可能に連結するヒンジ機構と、ヒンジ機構の部分に形成された円筒状空間に収納され第１本体部２側に固定された電池ケース４と、第１本体部２に対して第２本体部３を開いた状態にしたとき露出し取り外すことが可能となる電池ケース４のケースカバーと、ケースカバーで電池ケース４の開口部が塞がれていない状態では電池ケース４から突出し第２本体部３が第１本体部２に対して閉方向に回動されたとき第２本体部３が当接してこの当接位置より第２本体部３の閉方向への回動を阻止するストッパ部材１４を備える。ケースカバーを閉め忘れたときは電子機器を閉じることができなくなるので、カバーの閉め忘れに容易に気が付く。【選択図】  図５
2005235694.tif 000002
【特許請求の範囲】
【請求項１】
平板状の第１本体部と、平板状の第２本体部と、前記第１本体部の一側面部と前記第２本体部の他側面部とを回動可能に連結するヒンジ機構と、前記ヒンジ機構の部分に形成された円筒状空間に収納され前記第１本体部側に固定された電池ケースと、前記第１本体部に対して前記第２本体部を開いた状態にしたとき露出し取り外すことが可能となる前記電池ケースのケースカバーと、前記ケースカバーで前記電池ケースの開口部が塞がれていない状態では前記電池ケースから突出し前記第２本体部が前記第１本体部に対して閉方向に回動されたとき前記第２本体部が当接してこの当接位置より前記第２本体部の閉方向への回動を阻止するストッパ部材とを備えることを特徴とする折畳式電子機器。
【請求項２】
開閉可能に連結された平板状の第１本体部及び第２本体部と、前記連結された部分に設けられ電池の出し入れを行う開口部がケースカバーによって閉塞される電池ケースと、前記ケースカバーが前記開口部を閉塞していない状態にあるとき前記電池ケースから突出して前記第１本体部に対して前記第２本体部が閉じるのを阻止するストッパ部材とを備えることを特徴とする折畳式電子機器。
【請求項３】
前記折畳式電子機器が電子書籍であることを特徴とする請求項１または請求項２に記載の折畳式電子機器。
【発明の詳細な説明】
【技術分野】
【０００１】
本発明は、本体部同士をヒンジ機構で連結し開閉可能に構成した折畳式電子機器に係り、特に、ヒンジ機構部に設けた電池ケースのカバーを閉め忘れることのない折畳式電子機器に関する。
【背景技術】
【０００２】
電子書籍（電子ブック）等の電子機器は、携帯性が重視されるため、小型なものが求められる。このため、筐体自体を小さくすると共に、この小さな筐体に種々の電子部品を組み込む必要が生じる。
【０００３】
そこで、下記特許文献１記載の折畳式の情報処理装置では、操作部及び表示部の２つの装置本体部を開閉自在に連結する円柱状のヒンジ機構部分の軸心に電池格納孔を貫通して設け、この電池格納孔に複数の電池を直列に収納し、電池格納孔の上下を夫々キャップ部材で閉塞する構成を採り、電源電池の収納場所とヒンジ機構部とを共用することで、省スペース化を図っている。ところで、電池が消耗したとき、何処の売店でも売っている新しい電池に交換できることは、携帯型の電子機器にとって非常に便利である。
【０００４】
【特許文献１】特開平１１―３２７６８３号公報
【発明の開示】
【発明が解決しようとする課題】
【０００５】
ところが、例えば通勤途上等において電池交換した際、落ち着いて電池交換を行うことができない等のために、キャップ部材の装着を忘れてしまい、その結果、電池格納孔から電池が脱落して、情報処理装置が使用できなくなるという問題があった。
【０００６】
本発明の目的は、電池を電池ケース内に保持するカバー部材の閉め忘れを防止できる折畳式電子機器を提供することにある。
【課題を解決するための手段】
【０００７】
本発明の折畳式電子機器は、平板状の第１本体部と、平板状の第２本体部と、前記第１本体部の一側面部と前記第２本体部の他側面部とを回動可能に連結するヒンジ機構と、前記ヒンジ機構の部分に形成された円筒状空間に収納され前記第１本体部側に固定された電池ケースと、前記第１本体部に対して前記第２本体部を開いた状態にしたとき露出し取り外すことが可能となる前記電池ケースのケースカバーと、前記ケースカバーで前記電池ケースの開口部が塞がれていない状態では前記電池ケースから突出し前記第２本体部が前記第１本体部に対して閉方向に回動されたとき前記第２本体部が当接してこの当接位置より前記第２本体部の閉方向への回動を阻止するストッパ部材とを備えることを特徴とする。
【０００８】
この構成により、電池ケースのケースカバーの閉め忘れが起きると、電子機器を折り畳むことができなくなるため、ケースカバーの閉め忘れに気が付くことになる。
【０００９】
本発明の折畳式電子機器は、開閉可能に連結された平板状の第１本体部及び第２本体部と、前記連結された部分に設けられ電池の出し入れを行う開口部がケースカバーによって閉塞される電池ケースと、前記ケースカバーが前記開口部を閉塞していない状態にあるとき前記電池ケースから突出して前記第１本体部に対して前記第２本体部が閉じるのを阻止するストッパ部材とを備えることを特徴とする。
【００１０】
この構成により、電池ケースのケースカバーの閉め忘れが起きると、電子機器を折り畳むことができなくなるため、ケースカバーの閉め忘れに気が付くことになる。
【００１１】
本発明の折畳式電子機器が電子書籍であることを特徴とする。
【００１２】
この構成により、折畳式電子書籍の電池ケースのカバー閉め忘れが防止される。
【発明の効果】
【００１３】
本発明によれば、電池ケースのカバーを閉め忘れることをなくして、電池ケースから電池が脱落して機器が使用できなくなるという事態を防止した折畳式電子機器を提供することができるものである。
【発明を実施するための最良の形態】
【００１４】
以下、本発明の一実施形態について、図面を参照して説明する。
【００１５】
図１は、折畳式電子機器の一例である電子書籍の斜視図であり、１８０°開いた状態を示している。この電子書籍１は、３つの主要筐体で構成され、矩形平板状の右側本体部２と、矩形平板状の左側本体部３と、両者間に設けられた円筒状の電池ケース４とを備える。
【００１６】
右側本体部２と左側本体部３には、夫々、薄型表示装置たとえば記憶型液晶装置５、６が搭載され、右側本体部２の下辺部には４つの操作ボタン７、８、９、１０が設けられ、左側本体部３の左下隅には１個の操作ボタン１１が設けられている。
【００１７】
右側本体部２の左辺には、上下に離間する２つのヒンジ部１２、１３が突設されており、左側本体部３の右辺にも、上下に離間する２つのヒンジ部１４、１５が突設されている。そして、右側のヒンジ部１２、１３と左側のヒンジ部１４、１５とを夫々回動自在に連結することで、右側本体部２と左側本体部３とが開閉自在に結合される。
【００１８】
本実施形態の電子書籍１では、右側本体部２と左側本体部３とを結合したときにヒンジ部１２、１３間に形成される円柱状の空きスペースに、円筒形状の電池ケース４を取り付け、電子書籍１の省スペース化を図っている。この電池ケース４は、右側本体部２の左側端面に形成された円弧面に固定される。
【００１９】
図２は、電池ケース４の蓋を開けた状態を示す電子書籍の斜視図である。電池ケース４は、２本の単三乾電池１９を直列に収納する容積を持ち、電池ケース４の半分程度を覆う半円筒状のケースカバー１２を電池ケース４の下側に嵌合することで、閉めるようになっている。このケースカバー１２は、電子書籍１を１８０°開くことで全体が上面側に露出するので、このとき、ケースカバー１２の端部両側面を指で摘んで撓ませ、電池ケース４から取り外すことができる様になっている。
【００２０】
図３は、電池ケース４の分解図である。また、図４は、図２のIV―IV線位置における断面図であり、図４（ａ）はケースカバー１２を閉めた状態における断面図、図４（ｂ）はケースカバー１２を開けた状態における断面図である。
【００２１】
電池ケース４の上半分は円筒形状を成し、下半分の半円筒形状部分に、半円筒形状のケースカバー１２が嵌合される構成を有している。ケースカバー１２を閉めたときに全体が円筒状となる電池ケース４の側端壁部４ａには、電子書籍を１８０°開いたときに真上方向を向く孔１３が穿設されており、この孔１３内にストッパピン１４が摺動自在に収納されている。
【００２２】
ストッパピン１４は、図３に示す様に、上半分の大径部１４ａと、下半分の小径部１４ｂとからなり、孔１３の上半分はストッパピン１４の大径部１４ａより若干大径に形成され、孔１３の下端部はストッパピン１４の小径部１４ｂに略接触する様に口径が小さく形成され、バネ座１５（図４参照）となっている。そして、孔１３内には、ストッパピン１４の大径部１４ａとバネ座１５との間に縮設バネ１６が収納され、ストッパピン１４は常に孔１３から大径部１４ａが突出する方向にバネ圧で付勢されている。
【００２３】
孔１３のバネ座１５より下側には拡大室１７が設けられており、ストッパピン１４の拡大室１５内に突出する下端面にはピン１４の抜け止め防止用の大径のワッシャ１８が嵌合されている。これにより、ストッパピン１４がバネ１６の弾発力で孔１３の上端面から突出しても、ワッシャ１８がバネ座１５に当接した位置で止まり、ストッパピン１４が抜け出てしまうことはない。
【００２４】
ケースカバー１２の端部には、電池ケース４の本体側に延びる２本のラッチアーム１２ａ、１２ｂが形成されており、ケースカバー１２が電池ケース４の開口部を閉めた状態になったとき、ラッチアーム１２ａ、１２ｂが夫々電池ケース４の本体側の係止部４ａ、４ｂに係止され、ケースカバー１２は電池ケース４の本体に固定される。
【００２５】
ケースカバー１２の端部の両側面には、ケースを開ける位置を示すギザギザ模様１２ｃ、１２ｄが形成されており、この部分１２ｃ、１２ｄを指で把持してケースカバー１２を内側に撓ませることで、ラッチアーム１２ａ、１２ｂを係止部４ａ、４ｂから外し、ケースカバー１２を開けることができる。
【００２６】
このケースカバー１２で電池ケース４の本体部の開口を閉めたとき、図４（ａ）に示す様に、ケースカバー１２の下面がストッパピン１４の上端面を押して孔１３内にストッパピン１４を引っ込め、ラッチアーム１２ａ、１２ｂが夫々係止部４ａ、４ｂに係止される。
【００２７】
また、ケースカバー１２を開けたときは、図４（ｂ）に示す様に、ストッパピン１４がバネ１６の弾発力で突出し、ストッパピン１４の上端部は、円筒形状の電池ケース４の円周面より外側に突出する様になっている。
【００２８】
図５は、上述したストッパピン１４の機能説明図である。ユーザが電池を交換するためにケースカバー１２を開けて古い使用済みの電池を新しい電池に交換した場合、ユーザが急いでいたためにケースカバー１２を閉め忘れたとすると、図４（ｂ）で説明したように、ストッパピン１４は突出した状態となる。
【００２９】
従って、ユーザがケースカバー１２を閉め忘れた状態で電子書籍１を折り畳もうとしても、即ち、左側本体部３の右側端の円弧面を円筒状電池ケース４の外周に沿って回動させても、左側本体部３はストッパピン１４に当接するため、この当接位置より閉方向へは閉じることができなくなる。図５に示す例では、電子書籍１を９０°以下に閉めることができない。これにより、ユーザは電池ケース４のケースカバー１２が閉じられていないことに気が付くことになる。
【００３０】
以上述べた実施形態によれば、電池ケース４のケースカバー１２を閉め忘れた場合には折畳式の電子書籍１を閉じることができなくなるため、ケースカバー１２の閉め忘れに容易に気が付いて、電池ケース４から電池が脱落して電子書籍１が使用できなくなるという事態を防止することができる。
【００３１】
尚、上述した実施形態は、折畳式電子機器の一例として電子書籍を例に説明したが、本発明は電子書籍に限るものではなく、ノート型パソコンやコンパクトディスク装置等の他の種類の折畳式電子機器であれば適用可能である。
【産業上の利用可能性】
【００３２】
本発明は、電池ケースのケースカバーの閉め忘れを防止できるという効果を奏し、折り畳み形式の電子機器に有用である。
【図面の簡単な説明】
【００３３】
【図１】本発明の一実施形態に係る折畳式電子書籍を１８０°開いた状態の斜視図
【図２】本発明の一実施形態に係る折畳式電子書籍で電池ケースのケースカバーを開けた状態を示す斜視図
【図３】本発明の一実施形態に係る電池ケースの分解図
【図４】本発明の一実施形態に係る電池ケースの要部断面図であり、  （ａ）はケースカバーを閉めた状態の断面図  （ｂ）はケースカバーを開けた状態の断面図
【図５】本発明の一実施形態に係る折畳式電子書籍で電池ケースのケースカバーを閉め忘れたときの説明図
【符号の説明】
【００３４】
１  電子書籍
２  右側本体部（固定側）
３  左側本体部（可動側）
４  電池ケース
５、６  記憶型液晶表示装置
１２  ケースカバー
１３  孔
１４  ストッパピン
１５  バネ座
１６  縮設バネ（弾発バネ）
１７  拡大室
１８  ワッシャ
１９  乾電池
【図１】
2005235694.tif 000003
【図２】
2005235694.tif 000004
【図３】
2005235694.tif 000005
【図４】
2005235694.tif 000006
【図５】
2005235694.tif 000007